(57)【特許請求の範囲】
【請求項１】
先端がスプーン状の耳掻き部を有し、前記耳掻き部に貫通して形成された吸引孔を負圧状態にしながら該耳掻き部を外耳道内に挿入して耳糞を掃除する耳掻き兼用耳糞掃除器において、
前記耳掻き部の中間部に取り付けられ該中間部を覆う中空の弾性体と、
前記耳掻き部の他の端部に前記吸引孔に連通して設けられ前記弾性体の圧縮時は開放し前記弾性体の膨張時は閉塞する放出弁と、を備え、
前記弾性体で覆われた前記耳掻き部の中間部に、該耳掻き部の先端方向に貫通する吸引穴に連通する第１の開口と、該耳掻き部の他の端部方向に貫通する吸引孔に連通する第２の開口とを設け、
前記第１の開口に前記弾性体の圧縮時には閉塞し前記弾性体の膨張時には開放する弁を取り付けた、ことを特徴とする耳掻き兼用耳糞掃除器。
【発明の詳細な説明】
【０００１】
【発明の属する技術分野】
本発明は耳掻きで外耳道内の耳糞を掃除した際に、該外耳道内において剥離した耳糞を負圧によって吸引、吸着して外耳道の外に取り出すことができるようにした耳掻き兼用耳糞掃除器に関する。
【０００２】
【従来の技術】
従来の耳糞掃除器は、スプーン状に形成した耳掻きの反対側に羽毛を球形にして取付け、耳掻きで外耳道内の耳糞を剥離した後、前記球状の羽毛を外耳道内に挿入し、これを回転させることで耳糞を羽毛に絡め、外耳道内から耳糞を取り出すのが一般であった。
【０００３】
【発明が解決しようとする課題】
このような耳掻き兼用耳糞掃除器においては、羽毛を外耳道内に挿入する際に剥離されている耳糞を外耳道内の奥に押し込んでしまって、羽毛に絡めることができず、外耳道内に残してしまうといった恐れが多分にあった。
【０００４】
また、確実に耳糞を羽毛に絡めようとして羽毛を取り付けた耳掻きの端部を外耳道の奥にまで挿入しすぎて、外耳道を耳掻きの端部で傷めてしまうなどの恐れも多かった。
【０００５】
本発明は前記した問題点を解決せんとするもので、その目的とするところは、耳掻き部で掻き落とした耳糞を負圧で吸引、吸着して外耳道内から外に取り出し、耳掻きと同時に耳糞の吸引、吸着を行って、耳の掃除を容易、かつ、迅速に行うことができる耳掻き兼用耳糞掃除器を提供せんとするにある。
【０００６】
【課題を解決するための手段】
本発明の耳掻き兼用耳糞掃除器は前記した目的を達成せんとするもので、請求項１記載の手段は、先端がスプーン状の耳掻き部を有し、前記耳掻き部に貫通して形成された吸引孔を負圧状態にしながら該耳掻き部を外耳道内に挿入して耳糞を掃除する耳掻き兼用耳糞掃除器において、前記耳掻き部の中間部に取り付けられ該中間部を覆う中空の弾性体と、前記耳掻き部の他の端部に前記吸引孔に連通して設けられ前記弾性体の圧縮時は開放し前記弾性体の膨張時は閉塞する放出弁と、を備え、前記弾性体で覆われた前記耳掻き部の中間部に、該耳掻き部の先端方向に貫通する吸引穴に連通する第１の開口と、該耳掻き部の他の端部方向に貫通する吸引孔に連通する第２の開口とを設け、前記第１の開口に前記弾性体の圧縮時には閉塞し前記弾性体の膨張時には開放する弁を取り付けたことを特徴とするものである。
【０００７】
【発明の実施の形態】
次に、本発明の第１の実施の形態を図１〜図３と共に説明する。この実施の形態においては、先端をスプーン状の形状とした耳掻き部１とした耳掻きＡにおいて、耳掻き部１の反対側にチューブ２の差し込み部３を有する段部４を形成し、チューブ２の反対側をモータが組み込まれた真空ポンプＢに接続する。
【０００８】
そして、この耳掻きＡは、耳掻き部１の湾曲した内面側から差し込み部３に貫通する吸引孔５が穿設されており、この吸引孔５には全長の中程に拡大室６が設けられ、この拡大室６に外部との空気の流通が可能な小孔７が開口されており、この小孔７は耳掻きＡを握ったときに握っている指で閉鎖することが可能になっている。また、前記拡大室６には綿等のフィルタ６１が配置されている。
【０００９】
この実施の形態においては、真空ポンプＢを動作させた状態で耳掻きＡを握り、耳掻き部１を外耳道内に差し込み耳糞を掃除するものであるが、この際に小孔７を指で閉鎖することなく開放しておけば、真空ポンプＢは小孔７から外気を吸入するだけで、耳掻き部１に開口している吸引孔１から吸気することはない。
【００１０】
しかし、耳糞を掻き落とした後、あるいは、掻き落としている最中に、耳掻きＡを握っている指で小孔７を閉鎖すれば、小孔７からの吸気は遮断されるので耳掻き部１の吸引孔５の開口から真空ポンプＢへの吸気が行われるようになるので、この吸気によって耳糞が吸引孔５の開口部に吸引、吸着され、耳掻きＡを外耳道内から抜けば耳糞が取り出されるものである。なお、フィルタ６１によって吸引孔５に吸引されるような小さな耳糞が真空ポンプＢ内に達するの防止できる。
【００１１】
次に、本発明の第２の実施の形態を、図４、図５と共に説明する。この実施の形態においては、耳掻きＡは先端にスプーン状の耳掻き部１が形成され、この耳掻き部１の湾曲内面側に吸引孔５の一端が開口していることは前実施の形態と同じである。
【００１２】
そして、この耳掻きＡの基端側における前記耳掻き部１が形成された一面側には、中空の半球形状の弾性体１１が形成されており、この弾性体１１の空洞内には前記吸引孔５の反対側が開口されている。
【００１３】
この実施の形態の耳掻き兼用耳糞掃除器においては、弾性体１１を予め押圧して弾性体１１内の空気を排出させておき、その状態を維持させながら耳掻き部１で耳糞の掻き落としを行った後、あるいは、掻き落としを行いながら弾性体１１の押圧を解除する。
【００１４】
すると、膨らもうとする弾性体１１への空気の流入が耳掻き部１に開口している吸引孔５から行われるので、耳掻き部１によって掻き落とした耳糞が吸引、吸着されると共に吸着状態が維持されるため、耳掻き部１を外耳道内から抜けば耳掻き部１に吸着されている耳糞が取り出すことができるものである。
【００１５】
図６に示す第３の実施の形態においては、第１の実施の形態における耳掻きＡを拡大室６と小孔７を無くして吸引孔５を耳掻き部１とは反対側のチューブ２の差し込み部３まで導き、チューブ２の途中にバルブ１２を設ける。なお、Ｂは真空ポンプ、Ｃは該真空ポンプＢを駆動するためのモータである。
【００１６】
この実施の形態にあっても、耳掻き部１で耳糞の掻き落としを行った後、あるいは、掻き落としを行いながらバルブ１２を開いて真空ポンプＢによって吸引孔５を負圧状態とすることにより、該吸引孔５に耳糞を吸引、吸着させた状態で耳糞の取り出しが行えるものである。
【００１７】
図７に示す第４の実施の形態においては、前記した第３の実施の形態のバルブ１２を耳掻きＡの基端側に取付けたもので、その使用方法並びに作用は前記した第３の実施の形態と同一であるので説明は省略する。
【００１８】
図８に示す第５の実施の形態においては、前記した第３、第４の実施の形態の真空ポンプＢとモータＣに代えて球形の中空弾性体１３としたものである。そして、この実施の形態においては、中空弾性体１３を圧縮した状態で耳掻き部１により耳糞の掻き落としを行った後、あるいは、掻き落としを行いながら中空弾性体１３の圧縮を解除し、球形への復帰に伴う負圧で吸引孔５の耳掻き部１での開口に耳糞を吸引、吸着させるものである。
【００１９】
図９に示す第６の実施の形態においては、前記した第５の実施の形態におけるチューブ２を省略して、中空弾性体１３を直接に耳掻きＡの基端側に取り付けたもので、その使用方法並びに作用と前記した第５の実施の形態と同じであるので説明は省略する。
【００２０】
図１０に示す第７の実施の形態においては、図６の第３の実施の形態における真空ポンプＢ、モータＣに代えて蛇腹状の足踏み式の真空ポンプＤとしたもので、この蛇腹状の真空ポンプＤの吸入側にチューブ２を接続したものである。
【００２１】
この実施の形態にあっても、前記した第３、第４の実施の形態と同様に、真空ポンプＤを圧縮することにより耳掻きＡの耳掻き部１に開口している吸引孔５で耳糞を吸引、吸着できるものである。
【００２２】
次に、第８の実施の形態を図１１に示すが、この実施の形態においては、耳掻きＡの途中に大径部１４が形成され、この大径部１４に吸引孔５と連通する２つの縦孔１４ａ，１４ｂが開口しており、縦孔１４ａには外部からの空気は遮断するが吸引口５からの空気流に対しては開口する弁１５が取付けられている。
【００２３】
また、前記大径部１４の外周には中空の弾性体１６が取付けられ、また、耳掻きＡの耳掻き部１とは反対側には、吸引口５からの空気は排出するが外気は吸引できないように形成された放出弁１７が取付けられている。
【００２４】
すなわち、放出弁１７は２枚の薄い弾性片が接触状態を保つように構成されており、中空の弾性体１６の圧縮時には薄い弾性片の接触が開き、空気の流出を許容するが弾性体１６の膨張時には空気の流入は薄い弾性片の接触で遮断されるものである。
【００２５】
この実施の形態にあっては、中空の弾性体１６を圧縮した時には、該弾性体１６内の空気は縦孔１４ｂ、吸引孔５、放出弁１７を介して放出される。この状態において、耳掻き部１により耳糞の掻き落としを行った後、あるいは、掻き落としを行いながら弾性体１６の圧縮を解除すると、弁１５が開放され吸引孔５を負圧状態とするので、掻き落とされた耳糞を耳掻き部１に吸引、吸着させて取り出すことができるものである。
【００２６】
なお、前記した何れの実施の形態にあっても、耳掻き部１によって剥離した耳糞を吸引するのに、耳掻きＡに穿孔した吸引孔５によって行う場合について説明したが、前記吸引孔５に変えて耳掻きＡの長手方向に沿って細いパイプとすることもできる。
【００２７】
【発明の効果】
本発明はこれまで詳記したように、耳掻きの耳掻き部に吸引孔の一端を開口させ、この吸引孔を常時負圧状態とする負圧発生源に、あるいは、耳糞を吸引、吸着する際に負圧を発生する負圧発生源に接続することで耳掻き部により掻き落とした耳糞を吸引、吸着させることができる。
【００２８】
このようにして吸引、吸着された耳糞は、耳掻き部を外耳道の外に抜き出すことによって自動的に取り出すことが可能となり、耳糞の掻き落としと同時に耳糞の掃除が可能となるものであり、従来の羽毛を耳掻きの他端に取付けて外耳道内に羽毛を入れ、その回転で耳糞を羽毛に絡ませて耳糞の掃除を行う場合の諸問題を解決できる等の効果を有するものである。
【図面の簡単な説明】
【図１】本発明の第１の実施の形態の使用状態図である。
【図２】同上の耳掻きを断面とした側面図である。
【図３】図２の断面で示す平面図である。
【図４】本発明の第２の実施の形態の断面で示す側面図である。
【図５】図４の平面図である。
【図６】本発明の第３の実施の形態の一部を断面で示す側面図である。
【図７】本発明の第４の実施の形態の一部を断面で示す側面図である。
【図８】本発明の第５の実施の形態の一部を断面で示す側面図である。
【図９】本発明の第６の実施の形態の一部を断面で示す側面図である。
【図１０】本発明の第７の実施の形態の一部を断面で示す斜視図である。
【図１１】本発明の第８の実施の形態の断面図である。
【符号の説明】
Ａ 耳掻き
Ｂ 真空ポンプ
Ｃ モーター
Ｄ 真空ポンプ
１ 耳掻き部
５ 吸引孔
１１，１３ 弾性体
１４ 弁
１５ 中空弾性体
１７ 放出弁
以上
【図１】
0003601667.tif 000002
【図２】
0003601667.tif 000003
【図３】
0003601667.tif 000004
【図４】
0003601667.tif 000005
【図５】
0003601667.tif 000006
【図６】
0003601667.tif 000007
【図７】
0003601667.tif 000008
【図８】
0003601667.tif 000009
【図９】
0003601667.tif 000010
【図１０】
0003601667.tif 000011
【図１１】
0003601667.tif 000012